(57)【特許請求の範囲】
【請求項１】
キャップカバーと、このキャップカバーの下部に形成される電流制限機と、この電流制限機の下部に形成されるキャッププレートと、絶縁体を介して前記キャッププレートに熔接される電流遮断ディスクを含み、前記キャッププレートに前記絶縁体の外周面に対応して突起を形成し、前記キャッププレートをベンディングすることなく前記絶縁体を固定させることを特徴とする二次電池のキャップアセンブリ。
【請求項２】
前記突起はキャッププレートの下部に形成されるリング形の突起を含むことを特徴とする請求項１に記載の二次電池のキャップアセンブリ。
【請求項３】
前記突起はキャッププレートの下部に円周に沿って形成される多数の突起を含むことを特徴とする請求項１に記載の二次電池のキャップアセンブリ。
【請求項４】
前記突起はその半分の以上がガスケットと接触して電池の密封効果を向上させることを特徴とする請求項１に記載の二次電池のキャップアセンブリ。
【発明の詳細な説明】
【０００１】
【発明の属する技術分野】
本発明は、二次電池のキャップアセンブリに関し、特に電池の密閉性を向上させて電解質の漏出を防止し、電池の組立工程を単純化できる二次電池のキャップアセンブリに関する。
【０００２】
【従来の技術】
二次電池は再充填ができるので、ポータブル化する電子電機製品と共にもっと広く用いられており、その代表的なものでニッケル水素（Ｎｉ−ＭＨ）電池とリチウム（Ｌｉ）電池及びリチウムイオン（Ｌｉ−ｉｏｎ）電池がある。
【０００３】
リチウムイオン電池は正極活物質でリチウム−遷移金属酸化物が使用され、負極活物質で炭素もしくは炭素複合体が用いられ、その間に有機溶媒にリチウム塩を溶かす液体電解質が注入され、前記正極と負極の間にリチウムイオンが移動されて起電力が発生されるようにするので、充・放電がされる。
【０００４】
図７は従来の公知されたリチウムイオン二次電池を示している。一般的にリチウムイオン電池は正極とセパレータ及び負極が共に巻き取られた電極ロール１を液体電解質と共に負極と接続されたカン１２の内部に受納し、そのカン１２の上部に正極と接続されたキャップアセンブリ２がガスケット１８を介してカンと絶縁される構成からなる。
【０００５】
キャップアセンブリ２は陽極端子の機能を有するキャップカバー４と、これ４の下部に電流制限機６、安全バルブ８を備えるキャッププレート１０が順次的に積層された状態でカン１２の上部をクリンピング（Ｃｒｉｍｐｉｎｇ）することによりアセンブリ及び密封される。
【０００６】
前記キャップアセンブリ２のキャッププレート１０は絶縁体１４を介した電流遮断ディスク１６が熔接される構成からなり、キャッププレート１０の端部をベンディングして絶縁体１４をクリーンピングすることにより一体化される。
【０００７】
ここで、電流遮断ディスク１６が熔接されるキャッププレート１０の中心部は電池の内圧膨脹に従う電流を遮断すると同時に電池内部での異常化学反応によるガス放出機能を兼ねることで、最初のキャッププレート１０の成型時、プレス加工によりノッチを形成して脆弱部分である安全バルブ８が設計される。そしてガスによる内圧上昇時にノッチが破断してガスがキャップカバー４を通じて外部に放出される。
【０００８】
【発明が解決しようとする課題】
しかしながら、従来のキャップアセンブリ２が製造される過程は、キャッププレート１０をプレス加工し、電流遮断ディスク１６を熔接した後、絶縁体１４を介してベンディングするなどの色々段階を経るすべきであるので、生産性が下がる要因に作用する。また、カン１２の開口をクリーンピングで密封するが、キャップアセンブリは多くの部品からなるので、その部品間の微細なすき間が時々発生し、これのすき間を通じて電池の充放電の課程でガスケット１８とキャップアセンブリ２の接触部位で電解液が漏出される問題がある。
【０００９】
【課題を解決するための手段】
そこで、この発明は、上述の不都合を除去するために、キャップカバーと、このキャップカバーの下部に形成される電流制限機と、この電流制限機の下部に形成されるキャッププレートと、絶縁体を介して前記キャッププレートに熔接される電流遮断ディスクを含み、前記キャッププレートに前記絶縁体の外周面に対応して突起を形成し、前記キャッププレートをベンディングすることなく前記絶縁体を固定させることを特徴とする。
【００１０】
【発明の実施の形態】
この発明は、突起はキャッププレートの下部に形成されるリング形の突起を含み、また、突起はキャッププレートの下部に円周に沿って形成される多数の突起を含み、特に、突起はその表面の半分の以上がガスケットと接触して電池の密封効果を向上させるので、電解液の漏出を防止し、キャップアセンブリの製造公手を短縮して電池の生産性を向上できる。
【００１１】
【実施例】
以下、本発明による求める実施例を添付された図面に基づいて詳細に説明する。図１は、本発明による二次電池のキャップアセンブリ構造を部分的に図示した側断面図である。
【００１２】
本発明の二次電池は正極３０とセパレータ３２及び負極３４が共に巻き取られた電極ロールを液体電解質と共に負極３４と接続されたカン３６の内部に受納し、そのカン３６の上部に正極３０と接続されたキャップアセンブリ３８がカン３６と結合される構成からなる。
【００１３】
前記キャップアセンブリ３８はガスケット４０を介してカン３６と絶縁される状態でカン３６の開口をクリンピングして密封するもので、キャップアセンブリ３８は上部から順次的に配置される正極端子であるキャップカバー４２と、電流制限機４４と、キャッププレート５２及び絶縁体を介してキャッププレート５２に溶接される電流遮断ディスク５０とからなる。
【００１４】
特に電流遮断機能をするキャッププレート５２はその中心部が下側に含入されてドーム５７形状からなり、電流遮断ディスク５０はこのドーム５７形状のトップに絶縁体４８を介して熔接される。また、前記キャッププレート５２はその中心部にノッチが形成されて安全バルブ５４を構成し、その外側にはリング形の溝５６が形成されることによりその対向される面には凸部が成型されてこれが突起５８を形成する。本発明の突起５８はガスケットに多くの圧力を加えてキャッププレート５２とカン１２の上部との密閉性を向上させる。
【００１５】
図２と図３はキャッププレートを成型する過程を示した図であり、図４はキャッププレートの斜視図を示している。キャッププレート５２の成型過程を図面により説明すれば、先ず、プレス加工に使用されるダイ６０とパンチ６２を求める形態に合わせて鋳型で製作する。パンチのヘッドにノッチ形成をための突起６４と、溝の形成をためのリング形突起６６を形成し、これを通常的なプレスに差し込んで板材６８をダイ６０に置かせて打ち抜くと、キャッププレート５２の中心部にノッチ７０と共にコップ部が成型され、その外側に突起５８が形成される。この突起５８は前記絶縁体４８の外側面と噛み合って絶縁体４８を固定させ、半分ぐらいが前記ガスケット４０により被さって密封性を向上させる。
【００１６】
図５と６は本発明のキャッププレートの他の実施例を示している。キャッププレート５２の中心を基準で同一な距離ほど離れた位置に図５と図６に示したような多数の溝７２を形成して対向面に多数の突起７４が形成されるようにして絶縁体４８を固定させることができる。即ち、キャッププレート５２の一側面に突出された突起７４は内側に位置する絶縁体を位置固定させるようになる。
【００１７】
【発明の効果】
以上のような本発明は従来の問題点を実質的に解消している。即ち、キャップアセンブリの電流遮断機能をするキャッププレートを打ち抜いて成型する時にプレスのパンチに突起を形成して加工するので、キャッププレートの一側面に溝が形成されるようにし、その対向される面に突起を突出して突起の内側に絶縁体が固定されるようにするので、キャップアセンブリの組立過程でベンディングする過程を省略することができて生産性向上を図り、突出された突起がガスケットと半分程度が接触された状態でカンの開口がクリンピングされることに従って密着範囲を広げてカンの密封性も向上させる効果を得ることができる。
【図面の簡単な説明】
【図１】本発明に従う二次電池のキャップアセンブリ構造を部分的に示した側断面図である。
【図２】キャッププレートを成型する第１の過程を示す図である。
【図３】キャッププレートを成型する第２の過程を示す図である。
【図４】本発明に従うキャッププレートを示す斜視図である。
【図５】本発明に従う他の実施例を示す平面図である。
【図６】図５のＡ−Ａで示した断面図である。
【図７】従来に公知されたリチウムイオン二次電池構造を示した側断面図である。
【符号の説明】
３６  カン
３８  キャップアセンブリ
４０  ガスケット
４２  キャップカバー
４４  電流制限機
４８  絶縁体
５０  電流遮断ディスク
５２  キャッププレート
５６、７２  溝
５８、７４  突起
【図１】
0004339951.tif 000002
【図２】
0004339951.tif 000003
【図３】
0004339951.tif 000004
【図４】
0004339951.tif 000005
【図５】
0004339951.tif 000006
【図６】
0004339951.tif 000007
【図７】
0004339951.tif 000008